(57)【要約】【課題】抓みの回転運動を直線運動に変える変換部がレンズ体を支持する移動部と固定されていない場合に比して、レンズ体の焦点調整の作業性を向上させる調整治具の提供を目的とする。【解決手段】レンズ体をその光軸方向に移動可能に置く光学製品の本体に設置される設置部と、該設置部に形成され、抓みの回転運動を該光軸方向の直線運動に変える変換部と、該レンズ体を支持し、該変換部に固定されて該光軸方向に移動可能な移動部と、を備えている。【選択図】図１
2017151203.tif 000002
【特許請求の範囲】
【請求項１】
レンズ体をその光軸方向に移動可能に置く光学製品の本体に設置される設置部と、
該設置部に形成され、抓みの回転運動を該光軸方向の直線運動に変える変換部と、
該レンズ体を支持し、該変換部に固定されて該光軸方向に移動可能な移動部と、
を備える調整治具。
【請求項２】
該変換部は、
該抓みが固定される支持軸と、
該支持軸上に形成され、該支持軸に対して軸を偏心させた軸体と、
該光軸方向と交わる方向に形成された該軸体の径を幅とする長孔であって、回転する該軸体が収容される該長孔を有する収容部と、
を備える請求項１に記載の調整治具。
【請求項３】
請求項１又は請求項２に記載の調整治具により該レンズ体の位置を調整する工程と、
該調整を終えた該レンズ体を該光学製品の本体に固定する工程と、
を有する光学製品の製造方法。
【発明の詳細な説明】
【技術分野】
【０００１】
本発明は、調整治具及び光学製品の製造方法に関する。
【背景技術】
【０００２】
特許文献１には、ガイド部を備えたレンズホルダによって保持されるレンズのフォーカス調整を行うと共に、そのフォーカス調整されたレンズを所定位置で螺着するための治具であって、その治具本体が円柱形状を有すると共に、その治具本体の中心部側に螺着用螺子を締付けるための操作軸が挿通する挿通孔を有し、かつ、その治具本体の先端縁部側の一部に突出した操作部を設けたことを特徴とするレンズのフォーカス調整用及び螺着用治具が開示されている。
【先行技術文献】
【特許文献】
【０００３】
【特許文献１】実開昭６３−０５１３０５号公報
【発明の概要】
【発明が解決しようとする課題】
【０００４】
本発明は、抓みの回転運動を直線運動に変える変換部がレンズ体を支持する移動部と固定されていない場合に比して、レンズ体の焦点調整の作業性を向上させる調整治具の提供を目的とする。
【課題を解決するための手段】
【０００５】
請求項１の調整治具は、レンズ体をその光軸方向に移動可能に置く光学製品の本体に設置される設置部と、該設置部に形成され、抓みの回転運動を該光軸方向の直線運動に変える変換部と、該レンズ体を支持し、該変換部に固定されて該光軸方向に移動可能な移動部と、を備えている。
【０００６】
請求項２の調整治具では、該変換部は、該抓みが固定される支持軸と、該支持軸上に形成され、該支持軸に対して軸を偏心させた軸体と、該光軸方向と交わる方向に形成された該軸体の径を幅とする長孔であって、回転する該軸体が収容される該長孔を有する収容部と、を備えている。
【０００７】
請求項３の光学製品の製造方法は、請求項１又は請求項２の調整治具により該レンズ体の位置を調整する工程と、該調整を終えた該レンズ体を該光学製品の本体に固定する工程と、を有する。
【発明の効果】
【０００８】
請求項１に係る発明によれば、抓みの回転運動を直線運動に変える変換部がレンズ体を支持する移動部と固定されていない場合に比して、レンズ体の焦点調整の作業性を向上させることができる。
【０００９】
請求項２に係る発明によれば、収容部の長孔の幅が軸体の径よりも大きい場合に比して、レンズ体の焦点の微調整が容易となる。
【００１０】
請求項３に係る方法によれば、抓みの回転運動を直線運動に変える変換部がレンズ体を支持する移動部と固定されていない場合に比して、レンズ体の焦点の精度の高い光学製品を製造することができる。
【図面の簡単な説明】
【００１１】
【図１】本実施の形態の調整治具及び光学製品の光走査装置の斜視図である。
【図２】本実施の形態の調整治具の分解斜視図及びレンズ体の斜視図である。
【図３】本実施の形態の回転部の（Ａ）平面図、及び（Ｂ）側面図である。
【図４】本実施の形態の収容部の平面図である。
【図５】本実施の形態の移動部の（Ａ）正面図、及び（Ｂ）底面図である。
【図６】図１のＡ−Ａ断面図であって、本実施の形態の作用を示す図である。
【図７】図１のＡ−Ａ断面図であって、本実施の形態の作用を示す図である。
【発明を実施するための形態】
【００１２】
以下に、本発明に係る実施の形態の一例を図面に基づき説明する。なお、「前」、「後」を表記する場合、レンズ体６０が発光部５１から遠ざかる方向を前方とし、レンズ体６０が発光部５１に近づく方向を後方とする（図１参照）。図中に示す矢印Ｈは高さ（上下方向）を示し、矢印Ｗは横幅方向（左右方向）を示し、矢印Ｄは奥行方向（前後方向）を示す。
【００１３】
（光学製品について）
本実施の形態の調整治具が使用される光学製品５０は、例えば、画像形成装置で使用される光走査装置である。図１に示すように、光走査装置は、レーザー光を生成する発光部５１と、この発光部５１から照射されたレーザー光を集光又は平行光にするためのレンズ体６０と、を備えている。そして、光学製品５０の製造工程においては、レンズ体６０の位置を微調整することで、レーザー光の焦点を調整する必要がある。
【００１４】
（レンズ体）
レンズ体６０は、光学製品５０において照射されるレーザー光を集光又は平行光にするためものである。図１に示すように、レンズ体６０は、発光部５１の前方に隣接して設置されており、発光部５１から照射されたレーザー光はレンズ体６０のレンズを通過する。レンズ体６０は、その光軸方向に移動可能に光学製品５０の本体に設置されており、レンズ体６０におけるレーザー光の焦点は、レンズ体６０を前後方向、すなわち光軸方向に移動させることにより調整される。また、レンズ体６０の下部には雌ねじ部が形成されており、当該雌ねじ部にはレンズ体６０を光学製品５０の本体に固定するための固定ねじ６２がねじ込まれている。この固定ねじ６２は、光学製品５０の下部に開けられたサービスホールから操作を行う。図１及び図２を用いて具体的に説明すると、光学製品５０の本体には、断面扇形状の凹溝が形成されている。また、凹溝の底には、サービスホールと繋がった貫通穴（図示せず）が形成されている。固定ねじ６２は、光学製品５０の本体の下部（裏）から貫通穴を通って凹溝上に設置されたレンズ体６０の雌ねじ部にねじ込まれている。換言すると、固定ねじ６２は、その頭部がサービスホールに位置し、その軸部（雄ねじ部）が貫通穴及び雌ねじ部に位置している。固定ねじ６２は、レンズ体６０をその光軸方向に移動させる際には本体に対して仮締めされており、レンズ体６０の移動を終えた後は本体に対して本締めされる。
【００１５】
また、レンズ体６０は、その上部に形成された凹みである凹部６１を有している。この凹部６１はレンズ体６０の上部に前後方向に２つ並んで形成されており、後述する調整治具１の移動部３０に形成された２つの凸部３２の位置に対応している。レンズ体６０の上部に移動部３０が設置されると凸部３２が凹部６１に嵌り、レンズ体６０は移動部３０に支持される。
【００１６】
（調整治具）
調整治具１は、レンズ体６０におけるレーザー光の焦点を調整するためのものである。図１に示すように、この調整治具１は、光学製品５０の本体に設置される設置部１０と、設置部１０の上部に形成された抓み２と、を含んで構成されている。また、調整治具１は、設置部１０に形成され、抓み２の回転運動を光軸方向の直線運動に変える変換部２０と、変換部２０に固定されて光軸方向に移動可能な移動部３０と、を含んで構成されている。この調整治具１の大きさは、幅４５ｍｍ×奥行３０ｍｍ×高さ５０ｍｍである。
【００１７】
（抓み）
抓み２は、調整治具１において回転運動を発生させるためのものである。本実施の形態では、レンズ体６０の光軸に対して垂直である上下方向に沿って設けられた回転軸を中心に回転運動が生ずる。この抓み２は、後述する支持軸２２の取付部２４に固定されている。図１及び図２に示すように、抓み２は棒体であって、一端に支持軸２２を固定するための貫通穴３が形成され、他端は操作部分となっている。つまり、抓み２は支持軸２２から後方に延びるものである。また、抓み２の前面から貫通穴３にかけて２か所のねじ穴が形成されている。調整治具１を組み立てる場合、貫通穴３に支持軸２２を通した後、２か所のねじ穴それぞれに止ねじ４を締め込み、止ねじ４の先端部が支持軸２２の取付部２４に接触することで、抓み２は支持軸２２に固定される（図２参照）。
【００１８】
レンズ体６０におけるレーザー光の焦点を調整する場合は、作業者が抓み２の操作部分を抓み、左右に動かして回転させることにより行われる。詳細は後述する。
【００１９】
（設置部）
設置部１０は、調整治具１を光学製品５０の本体に設置するためのものである。図２に示すように、この設置部１０は本体部分である胴部１１と、胴部１１の前面に固定される支持部１３と、胴部１１の上面に固定される固定部１４と、を含む。
【００２０】
胴部１１には、その上部の左右方向の中央部分が前方に向かって開口する開口部１２Ａと、その下部の左右方向の中央部分が前方から後方にかけて貫通する貫通部１２Ｂとが形成されている。開口部１２Ａは、後述する収容部２６が前後方向に移動可能に収容されるものであり、その左右方向の幅は１９ｍｍである。また、貫通部１２Ｂは、後述する移動部３０が前後に移動可能に収容されるものであり、その左右方向の幅は１７ｍｍである。
【００２１】
支持部１３には上下方向に貫通する貫通孔１５が形成されている。後述する回転部２１の支持軸２２が貫通孔１５に差し込まれ、回転部２１と組み合わされた支持部１３が胴部１１にねじ止め固定されることにより、回転部２１は設置部１０に回転可能に支持される。
【００２２】
固定部１４は調整治具１を光学製品５０の本体に設置するためのものである。この固定部１４は、金属板を胴部１１の上面から後方に延びた状態で突出したものであり、突出した端部が下方に折り曲げられた形状である。固定部１４は胴部１１の上面にねじ止め固定されている。固定部１４が胴部１１に固定された際、固定部１４の折り曲げ部分と、胴部１１の後面とにより、左右方向に沿い、かつ下向きに開放する開放部分が形成される。この開放部分が光学製品５０の本体の縁（図示せず）に嵌るように設置部１０を光学製品５０の本体に置くことで、調整治具１は光学製品５０の本体に設置される。具体的には、光学製品５０の本体の一部を構成する筐体の側壁の外側に発光部５１が固定されている場合、側壁の内側に設置部１０が位置するように側壁の上縁部に固定部１４の折り曲げ部分を引っ掛ける。
【００２３】
なお、固定部１４の形状は上記に限らず、胴部１１の上部を後方に延びた状態で突出させ、当該突出部分の下方に左右方向に延びる溝を形成してもよい。
【００２４】
（変換部）
変換部２０は、抓み２の回転運動を光軸方向の直線運動に変えるものである。この変換部２０は、設置部１０の内部に形成されている。図２に示すように、変換部２０は、抓み２が固定される回転部２１を備えている。この回転部２１はさらに、抓み２が固定される支持軸２２と、支持軸２２上に形成され、支持軸２２に対して軸を偏心させた軸体２３と、を備えている。さらに、変換部２０は、光軸方向と交わる方向に形成された軸体２３の径を幅とする長孔２７を有する収容部２６と、を備えている。この長孔２７は、変換部２０が設置部１０に組み込まれる際に、回転する軸体２３が収容されるものである。
なお、本実施の形態の変換部２０による光軸方向の移動量（図７に示す距離Ｘ）は、調整治具１を組み立てた状態において最大で０．５ｍｍである。また、本実施の形態の調整治具１を用いて調整するレンズ体６０の調整範囲は±０．００５ｍｍ程度を想定している。
【００２５】
（回転部）
回転部２１は、抓み２とともに回転運動が行われるものである。図３（Ａ）及び（Ｂ）に示すように、回転部２１は偏心ピンであって、具体的には、支持軸２２と、支持軸２２の延長上に形成された軸体２３と、を備えている。
【００２６】
支持軸２２は、設置部１０に支持され、かつ抓み２が固定されるものである。この支持軸２２の直径は４ｍｍである。図３（Ｂ）に示すように、支持軸２２は、その上端から支持軸２２の長さの２／５の位置にかけて平面加工（Ｄカット）が施された取付部２４を有している。また、支持軸２２は、その上端から支持軸２２の長さの３／５の位置に、軸の周方向にかけて形成された溝部２５を有している。
【００２７】
図３（Ａ）及び（Ｂ）に示すように、軸体２３は、支持軸２２の軸方向に隣接して形成され、支持軸２２に対して軸を偏心させたものである。この軸体２３の直径は支持軸２２の直径の２倍の８ｍｍである。また本実施の形態では、支持軸２２の軸と軸体２３の軸との距離、すなわち、支持軸２２に対する軸体２３の偏心距離は１．９ｍｍとされている。
【００２８】
（収容部）
収容部２６は回転する軸体２３を収容するためのものである。この収容部２６は、設置部１０に対して前後方向に移動可能に支持される。したがって、収容部２６の幅は、開口部１２Ａの幅に等しい１９ｍｍである。また、図４に示すように、この収容部２６には、レンズ体６０の光軸方向と交わる方向、詳しくは、光軸方向である前後方向と直交する左右方向に延びる長孔２７が形成されている。長孔２７は、収容部２６の上面から下面にかけて貫通している。この長孔２７の寸法は、前後方向の幅が８ｍｍであり、左右方向の長さが１１．８ｍｍとされている。すなわち、長孔２７の前後方向の幅は軸体２３の直径に等しく、長孔２７の左右方向の長さは軸体２３の直径よりも長い。
さらに、収容部２６には、長孔２７の後方に上下方向に貫通する固定孔２８が形成されている。この固定孔２８は、移動部３０を固定するためのねじを通すものである。
【００２９】
なお、軸体２３の直径及び軸体２３が収容される長孔２７の前後方向の幅については、公差（クリアランス）を極力減らすことが望ましい。すなわち、公差を減らすことで軸体２３が前後方向に隙間なく収容され、前後方向の遊びが排除される。
また、収容部２６の幅及び収容部２６が収容される開口部１２Ａの幅については、公差を極力減らすことが望ましい。すなわち、公差を減らすことで、収容部２６が開口部１２Ａに隙間なく収容され、左右方向の遊びが排除される。
【００３０】
（移動部）
移動部３０は、レンズ体６０を支持するとともに、変換部２０に固定されて光軸方向、すなわち前後方向に移動するものである。この移動部３０の幅は、貫通部１２Ｂの幅に等しい１７ｍｍである。また、図５（Ａ）に示すように、移動部３０に下部には前後方向にかけてアーチ状の窪みである受部３１が形成されている。この受部３１の形状は、レンズ体６０の外面に合わせて形成されている。
【００３１】
また、図５（Ｂ）に示すように、受部３１の上端には、下方に向けて突出する凸部３２が前後方向に２つ並んで形成されている。この凸部３２は先端ほど縮径されるテーパー状の突起であって、レンズ体６０に形成された凹部６１の位置に対応している。
ここで、移動部３０がレンズ体６０に覆い被さると、移動部３０の凸部３２が対応するレンズ体６０の凹部６１に嵌り込むことで、レンズ体６０は移動部３０に支持される。
【００３２】
さらに、移動部３０の前後左右の中央部分にはねじ孔３３が形成されている。このねじ孔３３は、移動部３０を固定するねじが締め込まれるものである。ここで、移動部３０は、その上部が収容部２６の下部に固定されている。具体的には、移動部３０と収容部２６とは、図示しないピンを通すことで位置決めが行われるとともに、図示しないねじを固定孔２８に通してねじ孔３３に締めこむことにより固定される。
【００３３】
（調整治具の組み立てについて）
調整治具１の組み立て手順を以下（１）から（５）に示す。なお、以下の手順は一例であって、組み立て手順はこの限りではない。
【００３４】
（１）回転部の支持部への組み付け
まず、回転部２１の支持軸２２が支持部１３の貫通孔１５に差し込まれる。この際、Ｅリング５が支持部１３の上部に現れた溝部２５に差し込まれることで、回転部２１が設置部１０に対して抜け止め状態で回転可能に支持される。
【００３５】
（２）軸体の長孔への収容
次に、回転部２１の軸体２３が収容部２６の長孔２７に収容される。すなわち、回転部２１と収容部２６を有する変換部２０が組み立てられる。
【００３６】
（３）変換部の設置部への組み付け
次に、支持部１３と組み合わされた変換部２０が設置部１０に組み付けられる。具体的には、支持部１３が設置部１０にねじ止めされるとともに、収容部２６は設置部１０の開口部１２Ａに収容される。この際、回転部２１は、取付部２４が前方を向き、軸体２３が支持軸２２に対して後方を向くように設置する点に留意する（図２参照）。
変換部２０の設置部１０への組み付けにより、回転部２１の回転に伴い収容部２６は前後方向に移動可能となる。
【００３７】
（４）移動部の収容部への組み付け
次に、移動部３０が収容部２６に組み付けられる。具体的には、移動部３０が設置部１０の貫通部１２Ｂに収容され、そして、上述のとおり移動部３０と収容部２６とはねじ止めにより固定される。すなわち、移動部３０は収容部２６に固定された状態で設置部１０の貫通部１２Ｂに支持される。
移動部３０の収容部２６への組み付けにより、移動部３０は収容部２６とともに前後方向に移動可能となる。
【００３８】
（５）固定部及び抓みの組み付け
次に、固定部１４が設置部１０の上部にねじ止めされる。また、貫通穴３に支持軸２２を通すように抓み２を支持軸２２に嵌めて、抓み２の前面に形成されたねじ穴に止ねじ４をその先端部が取付部２４に接触するまで締め込むことで、抓み２は支持軸２２に固定される。
【００３９】
（調整治具の作用について）
以下、本実施の形態の調整治具１を用いて、光学製品５０のレーザー光の焦点を調整する場合の作用について説明する。
【００４０】
（１）調整治具の設置
上述のように、固定部１４の折り曲げ部分と、胴部１１の後面とにより、左右方向に沿い、かつ下向きに開放する開放部分が形成されている。この開放部分に光学製品５０の本体の縁（図示せず）が嵌るように設置部１０を光学製品５０の本体に置いて、調整治具１を光学製品５０の本体に設置する。
【００４１】
調整治具１が光学製品５０の本体に設置されると、レンズ体６０の上部に移動部３０が覆い被さる。そして、レンズ体６０に移動部３０が覆い被さる際に、移動部３０の凸部３２が対応するレンズ体６０の凹部６１に嵌り込む。上述のとおり、凸部３２は先端ほど縮径されるテーパー状に形成されているため、調整治具１を上から押さえ付けると、凸部３２は凹部６１に強く嵌り込むとともに、移動部３０とレンズ体６０との位置決めがされる。以上、調整治具１の設置に伴い、レンズ体６０は移動部３０に支持されるとともに、前後方向、すなわち光軸方向に移動可能となる。
【００４２】
（２）調整作業
レーザー光の焦点の調整作業について、図６及び図７を用いて説明する。
まず、図６に示す抓み２の位置が前後方向を向いている状態を初期状態とする。初期状態では、軸体２３は支持軸２２に対して後方を向いており、収容部２６の後端は設置部１０に接している。
ここで、調整作業を行う際は、レンズ体６０が移動部３０に確実に支持されるように、調整治具１を上から押さえ付けることが望ましい。
【００４３】
まず、作業者が抓み２を右又は左に動かして回転させると、回転部２１が回転し、移動部３０が前進する。例えば、図７に示すように、作業者が抓み２を右方向に動かした場合、抓み２とともに支持軸２２が反時計回りに回転することで、軸体２３は支持軸２２に対して右斜め後方を向く。ここで、軸体２３の位置を初期状態の位置と比べると、軸体２３は初期状態より右側かつ前側に移動する。上述のとおり、長孔２７の前後方向の幅は軸体２３の直径に等しく、長孔２７の左右方向の長さは軸体２３の直径よりも長い。したがって、軸体２３は長孔２７に対して右側に移動する。一方、軸体２３は長孔２７に対して前方には移動できないため、収容部２６が軸体２３とともに前方に（図７に示す距離Ｘだけ）移動する。
【００４４】
そして、右側を向いた抓み２を中央側に戻すと、支持軸２２が時計回りに回転することで、軸体２３は支持軸２２に対して右斜め後方から後方に向きを変える。すなわち、図７に示す軸体２３が距離Ｘだけ前進した状態と比べて、軸体２３は中央側かつ後側に移動する。一方、軸体２３は長孔２７に対して後方には移動できないため、収容部２６が軸体２３とともに後方に移動する。
【００４５】
以上のように、作業者が抓み２の操作部分を中央から右方向又は左方向に動かして回転させることで収容部２６及び収容部２６に固定された移動部３０が前進する。そして、移動部３０に支持されたレンズ体６０も前進する。また、作業者が右又は左を向いた抓み２の操作部分を中央側に動かして回転させることで収容部２６及び収容部２６に固定された移動部３０が後退する。そして、移動部３０に支持されたレンズ体６０も後退する。作業者は抓み２を左右方向に動かしながらレーザー光の焦点を最適位置に調整する。ここで、本実施の形態の変換部２０では、軸体２３の直径と長孔２７の前後方向の幅とを等しくすることにより、抓み２の左右操作時に、収容部２６と移動部３０との間に前後方向の遊びが発生しない。したがって、作業者は抓み２の回転角度を見るだけでレンズ体６０の調整位置を把握することができる。
【００４６】
（３）固定作業
調整作業によりレーザー光の焦点の調整を終えると、作業者は、光学製品５０の下部に開けられたサービスホールにドライバーを差し込み、固定ねじ６２を締め付けてレンズ体６０を光学製品５０の本体に対して固定する。ここで、固定ねじ６２を締め付ける場合、作業者は調整作業時の抓み２の位置をそのままに、調整治具１を上から押さえ付ける。調整治具１を上から押さえ付けた結果、レンズ体６０は光学製品５０の本体に向けて押さえ付けられ、調整作業時の位置が保持されたままとなる。つまり、固定作業時に調整治具１を押さえ付けることにより、調整済みのレンズ体６０を動かすことなく固定を行える。
固定ねじ６２の締め付けを終えると、作業者は光学製品５０の本体の縁に設置された調整治具１を取り外して固定作業は終了する。
【００４７】
なお、本実施の形態の調整治具１を使用して、調整作業及び固定作業を行う場合、レンズ体６０が移動部３０に確実に支持されるように、調整治具１を上から押さえ付けることが望ましい。しかしながら、設置部１０が備える固定部１４に固定用のねじ（図示せず）を設け、調整治具１の設置時に当該ねじにより設置部１０と光学製品５０の本体とを固定すれば、調整治具１は浮き上がらず、レンズ体６０は移動部３０に確実に支持される。
【００４８】
（まとめ）
本実施の形態の調整治具１は、光学製品５０の本体に設置される設置部１０と、抓み２の回転運動を光軸方向の直線運動に変える変換部２０と、レンズ体６０を支持し、変換部２０に固定されて光軸方向に移動可能な移動部３０と、を含んで構成されている。
本実施の形態の調整治具１によれば、作業者は、抓み２を右又は左に動かして回転を発生させることでレンズ体６０は前後方向に動き、レンズ体６０の焦点が調整される。
【００４９】
従来、レンズ体６０から出るレーザー光の焦点を調整する作業は、レンズ体６０に設けられ、レンズ体６０を前後方向に移動させるための調整ねじを精密ドライバーで回転させることにより行っていた。しかし、調整ねじを精密ドライバーで回転させる方法によると、調整に際し作業者は、レンズ体６０よりも細い精密ドライバーの握り部分を回す必要があり、どの程度調整したかを把握することが困難であった。
【００５０】
これに対して、本実施の形態によれば、作業者は、回転部２１の支持軸２２に固定され、支持軸２２から後方に延びる抓み２を右又は左に動かして回転させることにより、レンズ体６０の前後方向の位置の微調整を行える。したがって、作業者は抓み２の左右の振れ幅や、抓み２の回転角度を確認することでレンズ体６０の前後の調整位置を把握する。
【００５１】
なお、本実施の形態の抓み２は支持軸２２から後方に延びる棒体であるが、これに代えて、円柱状の抓み２を設けてもよい。ただし、円柱状の抓み２の場合、抓み２の回転角度を把握できるように、抓み２上に抓み２の向きを示す印を付けるのが望ましい。
【００５２】
以上、本実施の形態の調整治具１によれば、精密ドライバーの握り部分、換言するとドライバーの軸そのものを回して調整する場合と比して、レンズ体６０の前後の調整位置が把握されるため、焦点調整の作業性を向上させることができる。
【００５３】
また、従来の調整ねじを精密ドライバーで回転させる方法によると、調整ねじのバックラッシュにより、調整ねじとレンズ体６０の送り機構との間に遊びが発生する。ここで通常は、調整の際、焦点に近づくほどレンズ体６０を前後方向に細かく往復させるが、調整ねじとレンズ体６０の送り機構との間に遊びがあると、精密ドライバーをどの程度回せばレンズ体６０が動くか分かり辛いため、微調整を困難にしていた。
【００５４】
これに対して、本実施の形態の変換部２０では、抓み２に固定される支持軸２２に対して軸を偏心させた軸体２３の直径と、軸体２３を収容する長孔２７の前後方向の幅とを等しくなるように形成した。すなわち、本実施の形態によれば、収容部２６の長孔２７の前後方向の幅が軸体２３の直径よりも大きい場合に比して、回転運動部分と往復運動部分との間に遊びを生じない。また、本実施の形態によれば、調整ねじのようにバックラッシュを生じる歯車を使用した場合と比して、回転運動部分と往復運動部分との間に遊びを生じない。そして、回転運動部分と往復運動部分との間に遊びが生じないことにより、抓み２の動きがそのままレンズ体６０の前後方向への移動に反映されるため、レンズ体６０を前後方向に細かく往復させる微調整が容易となる。
【００５５】
さらに、本実施の形態の調整治具１を使用した光学製品５０の製造方法では以下の特徴を有する。すなわち、レンズ体６０の位置を調整する工程である調整作業において、抓み２の左右の振れ幅や、抓み２の回転角度を確認することでレンズ体６０の位置を把握し、調整を行える。また、調整を終えたレンズ体６０を光学製品５０の本体に固定する工程である固定作業において、調整治具１は上から押さえ付けられているため、調整済みのレンズ体６０を動かすことなく固定を行える。
【００５６】
以上、本実施の形態によれば、抓み２の回転運動を直線運動に変える変換部２０や移動部３０がレンズ体６０を支持する移動部と固定されていない場合と比して、レンズ体の焦点の精度の高い光学製品を製造することができる。
【００５７】
本実施の形態では、支持軸２２に対する軸体２３の偏心距離は１．９ｍｍとされているがこの限りでない。支持軸２２に対する軸体２３の偏心距離は、レンズ体６０の調整範囲に合わせて設定することができる。
【００５８】
なお、本実施の形態の調整治具１では、光軸方向である前後方向に対して、変換部２０の回転軸を上下方向に沿って設けたが、これに限らず、変換部２０の回転軸はレンズ体６０の光軸と交わる関係であれば向きは問わない。例えば、変換部２０の回転軸が左右方向に沿うように変換部２０を形成してもよい。具体的には、回転部２１をその回転軸が左右方向に沿うように設置するとともに、収容部２６を長孔２７が上下方向を向くように設置する。そして、設置部１０の側方に抓み２を固定するとともに、収容部２６の下部に移動部３０を固定することで、回転軸が左右方向に沿う調整治具１が形成される。変換部２０の回転軸の向きを問わないことにより、光学製品５０の本体におけるレンズ体６０の配置に合わせた形態の調整治具１が提供される。
【００５９】
なお、本実施の形態の変換部２０は、回転部２１に偏心ピンを使用したものであるが、これに限らない。例えば、ラック・アンド・ピニオンを用いた変換部２０を採用して、抓み２の回転運動を収容部２６の前後方向の直線運動に変換してもよい。ラック・アンド・ピニオンのギア比を調整することで、レンズ体６０の調整範囲は変更される。なお、ラック・アンド・ピニオン等の歯車機構を採用する場合は、バックラッシュが極力生じないものを選択する。
【符号の説明】
【００６０】
１  調整治具
２  抓み
１０  設置部
２０  変換部
２２  支持軸
２３  軸体
２６  収容部
２７  長孔
３０  移動部
５０  光学製品
６０  レンズ体
【図１】
2017151203.tif 000003
【図２】
2017151203.tif 000004
【図３】
2017151203.tif 000005
【図４】
2017151203.tif 000006
【図５】
2017151203.tif 000007
【図６】
2017151203.tif 000008
【図７】
2017151203.tif 000009